(57)【要約】 【課題】  ロック機能付きスイッチ装置において、防塵及び防水機能を充実させる。【解決手段】  ロック機能付きスイッチ装置は、ケース１０の下端内部にターミナルべース２０を備え、ターミナルべース２０上に固定接点部材２１ａ〜２１ｆが固定されている。ケース１０の上部には、回動動作（シーソー動作）して、固定接点部材２１ａ〜２１ｆをオン・オフするノブべース４１が組付けられている。ノブベース４１の外側面はゴム製のブーツ４２により覆われ、ブーツ４２がケース１０内への微粒子、水滴、水分などの侵入を防止する。ブーツ４２の上面にはノブ４３が組付けられ、ノブ４３の上面にはロックノブ４４が移動可能に組付けられている。ノブ４３の一端側を押圧した状態で、ロックノブ４４をノブ４３の他端側に移動させて係合部４４ｂをケース１０の係合部１０ｄに係合させることにより、ノブべース４１の回動動作はロックされる。【選択図】  図２
2016149280.tif 000002
【特許請求の範囲】
【請求項１】
オン・オフ状態が切換えられるスイッチを収容したケースと、
前記ケースに上部に回動可能に組み付けられ、第１位置と第２位置との間を回動動作して、前記スイッチのオン・オフ動作を切換える回動動作部と、
前記回動動作部の上面外周部と前記ケースの上部に組み付けられて、前記ケースの上面よりも上方に位置する前記回動動作部の外側面を覆うゴム製のブーツと、
前記回動動作部の上面を覆うように前記回動動作部に組み付けられ、上面の一端側の押圧により前記回動動作部を前記第１位置まで回動させ、かつ上面の他端側の押圧により前記回動動作部を前記第２位置まで回動させて、前記回動動作部を前記第１位置及び前記第２位置にそれぞれ切換えるノブと、
平板状に形成された上板部、及び前記上板部の下面から下方に突出した係合部であって前記ノブに設けた貫通孔を貫通して下端にて前記ケースの外枠上端部に設けた係合部に係合可能な係合部を有し、前記上板部を前記ノブの上面上に載置させ、前記上板部が前記ノブの上面を前記一端側及び前記他端側にそれぞれ移動するように、前記ノブ又は前記回動動作部に移動可能に組み付けられたロックノブとを備え、
前記ノブの一端側を押圧した状態で、前記ロックノブを前記ノブの他端側に移動させて前記ロックノブの係合部を前記ケースの係合部に係合させることにより、前記回動動作部の回動動作をロックし、かつ
前記ロックノブを前記ノブの一端側に移動させることにより、前記ロックノブの係合部の前記ケースの係合部に対する係合が解除されて前記回動動作部の回動動作のロックが解除されるようにしたことを特徴とするロック機能付きスイッチ装置。
【請求項２】
前記ノブの上面と前記ロックノブの上板部の下面との間にゴム製のパッキンを設けたことを特徴とする請求項１に記載のロック機能付きスイッチ装置。
【請求項３】
前記ロックノブと前記ノブとの間に第１のばねを介装し、前記ロックノブが前記第１のばねにより前記ノブの他端側に付勢されるようにしたことを特徴とする請求項１又は２に記載のロック機能付きスイッチ装置。
【請求項４】
前記ロックノブは、前記上板部を貫通する貫通孔を有し、
先端部に前記第１のばねの一端に係合する突出部を備えた組み込み用の治具を用いて、前記第１のばねを圧縮した状態で前記ロックノブに組み付けるとともに、前記治具の突出部を前記貫通孔に貫通させて、前記第１のばねを組み付けた前記ロックノブを前記治具に仮固定し、
前記ロックノブを前記治具に仮固定した状態で、前記ロックノブの係合部を前記ノブに設けた貫通孔に貫通させるとともに、前記ロックノブを前記ノブ又は回動動作部に移動可能に係合させて組み付け、その後、
前記治具の突出部を前記ロックノブの貫通孔から引き抜いて、前記ロックノブが前記第１のばねにより前記ノブの他端側に付勢された状態で、前記ロックノブを前記ノブ又は前記回動動作部に組み付けるようにしたことを特徴とする請求項３に記載のロック機能付きスイッチ装置。
【請求項５】
前記ロックノブの上板部の上面にシール用の平板部材を固着するようにしたことを特徴とする請求項４に記載のロック機能付きスイッチ装置。
【請求項６】
前記回動動作部の下方にて前記ケース内に組み付け固定されたターミナルべースと、
前記回動動作部の回動動作により駆動されて、前記ターミナルべース上を移動するスライダと、
前記ターミナルべース上に組み付けられていて、中間位置から前記スライダの移動方向の両側に向かってそれぞれ下方に傾斜した傾斜部を有するアクションプレートとをさらに設け、
前記スイッチを、
前記ターミナルべース上に固定された固定接点と、
前記スライダに組み付けられた可動接点とで構成し、かつ
前記回動動作部を、
前記ケースの上部に回動可能に組み付けられ、前記ノブの上面の一端側及び他端側の押圧により前記第１位置と前記第２位置との間を回動動作するノブべースと、
前記ノブベースの回動動作を前記スライダに伝達するアクションガイドと、
前記アクションプガイド内に収容された第２のばねと、
前記アクションガイド内に収容されるとともに前記第２のばねにより下方に付勢されて前記アクションプレートの傾斜部を移動する移動体とで構成し、
前記ノブの押圧により前記ノブべースが回動動作するとき、前記移動体が前記アクションプレートの傾斜部上を前記中間位置の両側にそれぞれ移動するとともに、前記スライダが前記アクションガイドにより駆動されて移動して、前記可動接点の前記固定接点に対するオン・オフ状態が切り換わるようにした請求項１乃至５のうちのいずれか一つに記載のロック機能付きスイッチ装置。
【発明の詳細な説明】
【技術分野】
【０００１】
本発明は、ノブの操作によりスイッチのオン・オフ状態が切り換えられ、前記操作を解除してもスイッチのオン状態又はオフ状態をロックするようにしたロック機能付きスイッチ装置に関する。
【背景技術】
【０００２】
下記特許文献１には、ロックケースに回動自在に支持されて操作面の押圧により回動する操作部（ロックノブベース）を備え、操作面の押圧により操作部を一方の側に回動させると、ロックケース内に設けたスイッチがオン状態又はオフ状態に切換えられ、操作面の押圧操作を解除しても前記一方の側への操作部の回動が維持され、前記スイッチのオン状態又はオフ状態がロックされるようにして、誤操作を防止するようにしたロック機能付きスイッチ装置が示されている。このロック機能付きスイッチ装置においては、操作部の上面を移動（スライド）するように操作部の上面に設けられてロックケースの外枠端部の上端部と係合可能な係合部を有するロックノブと、ロックノブをその係合部が係合するロックケースの外枠端部の側に付勢するばねとが設けられている。そして、操作面の押圧操作により操作部を前記一方の側に回動させると、ロックノブがばねにより操作部の上面上を自動的に移動して、ロックノブの係合部がロックケースの外枠端部の上端部に自動的に係合するように構成されている。また、ロックノブを操作して、ロックノブをばねの付勢力に抗して操作部の上面上を移動させると、スイッチのロック状態が解除される。
【先行技術文献】
【特許文献】
【０００３】
【特許文献１】特開２０１２-２４８３０９号公報
【発明の概要】
【０００４】
この種のロック機能付きスイッチ装置は、建設用四輪車、農業用四輪車、建設用特殊機器などの各種機器に利用されることが多い。しかし、上記従来技術に示されたロック機能付きスイッチ装置を、ごみ、ほこり、植物の種などの微粒子が多かったり、水滴、水分などが多かったりする厳しい環境下で利用される機器に用いた場合には、操作部とケースの間からケース内に微粒子、水滴、水分などが侵入して、ケース、ロックノブ、ケース内の部品などに付着し、ロック機能の異常動作、スイッチのショートなどの不具合がロック機能付きスイッチ装置に発生するという問題があった。
【０００５】
本発明は、このような問題に対処するためになされたもので、その目的は、前記のような厳しい環境下で利用される機器に用いても、前記不具合から回避されるように防塵及び防水機能を充実させたロック機能付きスイッチ装置を提供することにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００６】
前述した目的を達成するため、本発明の特徴は、オン・オフ状態が切換えられるスイッチ（２１ａ〜２１ｆ，３４，３５）を収容したケース（１０）と、ケースに上部に回動可能に組み付けられ、第１位置と第２位置との間を回動動作して、スイッチのオン・オフ動作を切換える回動動作部（４１，４５，４６，４７）と、回動動作部の上面外周部とケースの上部に組み付けられて、ケースの上面よりも上方に位置する回動動作部の外側面を覆うゴム製のブーツ（４２）と、回動動作部の上面を覆うように回動動作部に組み付けられ、上面の一端側の押圧により回動動作部を第１位置まで回動させ、かつ上面の他端側の押圧により回動動作部を第２位置まで回動させて、回動動作部を第１位置及び第２位置にそれぞれ切換えるノブ（４３）と、平板状に形成された上板部（４４ａ）、及び上板部の下面から下方に突出した係合部であってノブに設けた貫通孔（４３ｄ）を貫通して下端にてケースの外枠上端部に設けた係合部（１０ｄ）に係合可能な係合部（４４ｂ）を有し、上板部をノブの上面上に載置させ、上板部がノブの上面を一端側及び他端側にそれぞれ移動するように、ノブ又は回動動作部に移動可能に組み付けられたロックノブ（４４）とを備え、ノブの一端側を押圧した状態で、ロックノブをノブの他端側に移動させてロックノブの係合部をケースの係合部に係合させることにより、回動動作部の回動動作をロックし、かつロックノブをノブの一端側に移動させることにより、ロックノブの係合部のケースの係合部に対する係合が解除されて回動動作部の回動動作のロックが解除されるようにしたロック機能付きスイッチ装置にある。
【０００７】
上記のように構成したロック機能付きスイッチ装置においては、ノブが回動動作部の上面を覆い、かつゴム製のブーツがケースの上面よりも上方に位置する回動動作部の外側面を覆っている。これにより、本発明に係るロック機能付きスイッチ装置を、ごみ、ほこり、植物の種などの微粒子が多かったり、水滴、水分などが多かったりする厳しい環境下で利用される機器に用いた場合でも、防塵及び防水機能が充分に発揮され、ケース内に微粒子、水滴、水分などが侵入することがなくなる。その結果、本発明によれば、ロック機能付きスイッチ装置における不具合の発生が防止される。
【０００８】
また、本発明の他の特徴は、ノブの上面とロックノブの上板部の下面との間にゴム製のパッキン（５１）を設けたことにある。これによれば、パッキンが、ロックノブとノブの間からケース内への微粒子、水滴、水分などの侵入も防ぐ。その結果、防塵及び防水機能がより充実し、ロック機能付きスイッチ装置における不具合の発生がより確実に防止される。
【０００９】
また、本発明の他の特徴は、前記ロックノブと前記ノブとの間に第１のばね（５２，５３）を介装し、ロックノブが第１のばねによりノブの他端側に付勢されるようにしたことにある。これによれば、第１のばねがロックノブをノブの他端側に付勢しているので、ノブの一端側を押圧すれば、ロックノブはノブの他端側に自動的にスライドして、ロックノブの係合部がケースの係合部に係合する。その結果、回動動作部の回動動作のロックが、ノブの一端側を押圧操作するだけの簡単な操作により実現される。なお、ノブを第１のばねの付勢力に抗して一端側に移動させれば、回動動作部の回動動作のロックは解除される。
【００１０】
また、本発明の他の特徴は、ロックノブは、上板部を貫通する貫通孔（４４ｄ，４４ｅ）を有し、先端部に第１のばねの一端に係合する突出部（６１ａ，６１ｂ）を備えた組み込み用の治具（６１）を用いて、第１のばねを圧縮した状態でロックノブに組み付けるとともに、治具の突出部を貫通孔に貫通させて、第１のばねを組み付けたロックノブを治具に仮固定し、ロックノブを治具に仮固定した状態で、ロックノブの係合部をノブに設けた貫通孔に貫通させるとともに、ロックノブをノブ又は回動動作部に移動可能に係合させて組み付け、その後、治具の突出部をロックノブの貫通孔から引き抜いて、ロックノブが第１のばねによりノブの他端側に付勢された状態で、ロックノブをノブ又は回動動作部に組み付けるようにしたことにある。これによれば、ロックノブをノブ又は回動動作部に簡単に組み付けることができるとともに、第１のばねをロックノブとノブとの間に簡単に組み付けることができる。
【００１１】
また、本発明の他の特徴は、ロックノブの上板部の上面にシール用の平板部材（５４）を固着するようにしたことにある。これによれば、ロックノブのノブ又は回動動作部への組み付けに利用した貫通孔をロックノブの上板部に設けても、平板部材により貫通孔は塞がれる。その結果、ロックノブの上板部に設けた貫通孔を介したケース内への微粒子、水滴、水分などの侵入が防止され、ケース内への微粒子、水滴、水分などの侵入によるロック機能付きスイッチ装置における不具合の発生が防止される。
【００１２】
また、本発明の他の特徴は、回動動作部の下方にてケース内に組み付け固定されたターミナルべース（２０）と、回動動作部の回動動作により駆動されて、ターミナルべース上を移動するスライダ（３１）と、ターミナルべース上に組み付けられていて、中間位置からスライダの移動方向の両側に向かってそれぞれ下方に傾斜した傾斜部（２８ｂ）を有するアクションプレート（２８）とをさらに設け、スイッチを、ターミナルべース上に固定された固定接点（２１ａ〜２１ｆ）と、スライダ（３１）に組み付けられた可動接点（３４，３５）とで構成し、かつ回動動作部を、ケースの上部に回動可能に組み付けられ、ノブの上面の一端側及び他端側の押圧により第１位置と第２位置との間を回動動作するノブべース（４１）と、ノブベースの回動動作をスライダに伝達するアクションガイド（４５）と、アクションプガイド内に収容された第２のばね（４６）と、アクションガイド内に収容されるとともに第２のばねにより下方に付勢されてアクションプレートの傾斜部を移動する移動体（４７）とで構成し、ノブの押圧によりノブべースが回動動作するとき、移動体がアクションプレートの傾斜部上を中間位置の両側にそれぞれ移動するとともに、スライダがアクションガイドにより駆動されて移動して、可動接点の固定接点に対するオン・オフ状態が切り換わるようにしたことにある。
【００１３】
これによれば、ノブの押圧によりノブべースが回動動作するとき、移動体がアクションプレートの傾斜部上を中間位置の両側にそれぞれ移動するとともに、スライダがアクションガイドにより駆動されて移動して、可動接点の固定接点に対するオン・オフ状態が切り換わる。また、傾斜部は中間位置から両側に向かってそれぞれ下方に傾斜し、かつ移動体は第２のばねの付勢力によって下方に押圧されているので、ノブの押圧を解除しても、ノブべースの回動動作後におけるノブべース及びアクションガイドの位置は維持されるとともに、可動接点の移動位置も維持される。その結果、ノブの押圧を解除しても、可動接点の固定接点に対するオン・オフ状態が維持されて、ロック機能付きスイッチ装置の操作性が良好となる。
【図面の簡単な説明】
【００１４】
【図１】（Ａ）は本発明の一実施形態に係るロック機能付きスイッチ装置の外観斜視図であり、（Ｂ）はロック機能付きスイッチ装置の正面図であり、（Ｃ）はロック機能付きスイッチ装置の側面図である
【図２】ロック機能付きスイッチ装置の縦断面図である。
【図３】ロック機能付きスイッチ装置の分解斜視図である。
【図４】スライダ部分の左側面図である。
【図５】ロックノブを下方から見た斜視図である。
【図６】ターミナルベースに対する各種部品の組付けを説明するための説明図である。
【図７】（Ａ）（Ｂ）は、ロックノブの組付け工程における第１ステージを説明するための説明図である。
【図８】（Ａ）（Ｂ）は、ロックノブの組付け工程における第２ステージを説明するための説明図である。
【図９】（Ａ）（Ｂ）は、ロックノブの組付け工程における第３ステージを説明するための説明図である。
【図１０】（Ａ）（Ｂ）は、ロックノブの組付け工程における第４ステージを説明するための説明図である。
【図１１】（Ａ）（Ｂ）は、ロックノブの組付け工程における第５ステージを説明するための説明図である。
【図１２】（Ａ）〜（Ｄは、ロック機能付きスイッチ装置の動作を説明するための説明図である。
【発明を実施するための形態】
【００１５】
以下、本発明の一実施形態に係るロック機能付きスイッチ装置（以下、単にスイッチ装置という）について説明する。図１（Ａ）はスイッチ装置の外観斜視図であり、図１（Ｂ）はスイッチ装置の正面図であり、図１（Ｃ）はスイッチ装置の側面図である。図２は、左右方向の中央位置にて上下方向に切断して示すスイッチ装置の縦断面図である。図３は、スイッチ装置の分解斜視図である。なお、以下の説明においては、図１（Ｂ）（Ｃ）及び図２の上下方向を上下方向とし、図１（Ｃ）及び図２の右側を前方向とするとともに、図１（Ｃ）及び図２の左側を後方向とし、図１（Ｂ）の左右方向を左右方向とする。
【００１６】
スイッチ装置は、図１乃至図３に示すように、樹脂により一体成型されたケース１０を有する。ケース１０は、前後壁及び左右壁を有し、上面及び下面を開口させて、内部に前後方向及び上下方向に長い直方体状の空間を形成している。ケース１０の上端部には、全周に渡って外側に水平に所定幅だけ延設させた鍔部１０ａと、内側前後端から水平に延設させて貫通孔を有する水平部１０ｂが設けられている。鍔部１０ａの前側部分及び後側部分における上面内側部分には、左右方向に延設されてほぼ垂直に立設された平板状の係合部１０ｃ，１０ｄがそれぞれ設けられている。係合部１０ｄの上下長さは、係合部１０ｃの上下長さよりも長く、その内側面を円形に湾曲させている。
【００１７】
鍔部１０ａの左側部分及び右側部分における上面内側部分には、後述するノブベース４１を回動可能に支持する一対の支持部１０ｅ，１０ｅがそれぞれ設けられている。支持部１０ｅ，１０ｅは、前後方向に延設されて垂直に立設された平板状部材であり、前後方向の中央部分を上方に突出させている。この上方に突出させた部分の外側面には外側に突出した円柱状のピン１０ｅ１，１０ｅ１がそれぞれ設けられている。また、ケース１０の前後壁の外側には、前後壁の上部との間に隙間を空けて下方から上方に延設された一対の係止片１０ｆ，１０ｆがそれぞれ設けられている。係止片１０ｆ，１０ｆは、前後方向に変形可能であって、上端部の外側に突出部を有しており、スイッチ装置を機器に組付ける際に、機器に設けた穴内にケース１０を上方から挿入させた後に突出部を機器の穴部に設けた係止部に係止させて、スイッチ装置を機器に固定するために利用される。ケース１０の左右壁の下端部には、複数の方形状の貫通孔１０ｇが設けられている。また、ケース１０の前後壁及び左右壁においては、上部を下部よりも厚くして上部の内面を下部の内面よりも内側に位置させて、中間部に段差１０ｈが設けられている。なお、ケース１０の前後壁及び左右壁の外面は平面である。
【００１８】
ケース１０の下端部には、樹脂により一体成型されていて、ケース１０の下端を閉止する方形状のターミナルベース２０が組付けられている。ターミナルベース２０の左右側面には、ケース１０の下部に組み付け固定する際に、ケース１０の複数の貫通孔１０ｇにそれぞれ係合する複数の突起２０ａが設けられている。ターミナルベース２０の上面２０ｂにおける左右両端部側には、それぞれ固定接点を構成する固定接点部材２１ａ〜２１ｆが圧入固定されている。ターミナルベース２０の上面２０ｂにおける前後両端部側には、電気回路基板２２，２３が、脚部２２ａ，２３ａをターミナルベース２０に設けた溝内に侵入させるとともに、下方から突出した導線２４ａ，２４ｂ，２５ａ，２５ｂに半田付けにより立設固定されている。固定接点部材２１ａ〜２１ｆ及び導線２４ａ，２４ｂ，２５ａ，２５ｂは、ケース１０外に設けた図示しない電気制御装置に接続されている。電気回路基板２２，２３には、電気回路部品がそれぞれ配置されるとともに、それらの上端には、電気接続されたＬＥＤランプ２６，２７が固定されている。ＬＥＤランプ２６はオフ状態であるロック状態の表示用であり、ＬＥＤランプ２７はオン状態の表示用であり、ケース１０の水平部１０ｂに設けた貫通孔から上方に突出している。
【００１９】
ターミナルベース２０の上面２０ｂにおける左右方向の中央部には、金属材料で所定の厚さに形成されたアクションプレート２８が組付けられている。アクションプレート２８は、前後一対の脚部２８ａ，２８ａと、一対の脚部２８ａ，２８ａの上端を連結する前後方向に延設された傾斜部２８ｂとを有する。脚部２８ａ，２８ａは、ターミナルベース２０に圧入固定される。傾斜部２８ｂの上面は、前後方向の中央位置（頂点位置）から前方及び後方に向かってそれぞれ下方に傾斜している。
【００２０】
ターミナルベース２０の上面２０ｂには、樹脂により一体成型されたスライダ３１が上面２０ｂを前後方向に移動可能（スライド可能）に載置されている。スライダ３１は、平板状の左右側壁及び前後側壁を有して内部に貫通孔３１ａ１を上下方向に延設させた上部３１ａと、上部３１ａの左右両側の下端から上部３１ａの左右側壁の外側位置にて下方に延設された一対の下部３１ｂ，３１ｂとからなる。貫通孔３１ａ１は、平面視で方形状であって、左右内面は平面である。貫通孔３１ａ１の前後内面は、上下方向の中央位置（頂点位置）から上方及び下方に向かうに従って外側に傾斜した１対の平面であり、貫通孔３１ａ１の前後方向幅は、前記中央位置から上方及び下方に向かうに従って広くなっている。下部３１ｂ，３１ｂの両左右外側面間の距離は、ケース１０の下部における左右壁の両内側面間の距離よりも僅かに小さく、ケース１０の上部における左右壁の両内側面間の距離よりも大きい。また、下部３１ｂの上面と下面との間の距離は、ターミナルベース２０の上面２０ｂからケース１０の内面に設けた段差１０ｈまでの距離よりも僅かに小さい。下部３１ｂ，３１ｂには、一対のコイルばね３２，３３及び平板状の可動接点部材３４，３５が組み付けられている。
【００２１】
これらのスライダ３１、コイルばね３２，３３及び可動接点部材３４，３５について、図４を用いてさらに詳しく説明する。図４は、スライダ３１を左側から見た左側面図である。スライダ３１の下部３１ｂ，３１ｂには、下面が開口されて上方に延設された前後方向に長く、かつ左右方向の幅を可動接点部材３４，３５の厚さより僅かに広くしたスリット３１ｂ１，３１ｂ１がそれぞれ形成されているとともに、溝の前後方向における中央位置には下面が開口されて上方に延設された、コイルばね３２，３３の直径よりも大きな直径を有する円形穴３１ｂ２，３１ｂ２がそれぞれ形成されている。このスリット３１ｂ１，３１ｂ１は、中央位置を除く両側では上面も開口させているが、中央位置では下面から上面まで貫通していなくて上端部に係止部３１ｂ３が設けられている。また、下部３１ｂ，３１ｂに設けたスリット３１ｂ１，３１ｂ１の外側部分には、上面から下端近傍位置まで延設された一対の溝３１ｂ４，３１ｂ４が設けられている。
【００２２】
可動接点部材３４，３５は、導電性金属材料で形成されて所定の厚さを有し、前後方向に延びた水平部と、水平部の両端から上方にそれぞれ延びた一対の垂直部とからなるコ字状に形成されている。この可動接点部材３４，３５は、垂直部の下端から下方に突出した一対の接点部３４ａ，３５ａをそれぞれ有するとともに、各一対の垂直部の外側面に外側に突出した一対の突起３４ｂ，３５ｂをそれぞれ有する。コイルばね３２，３３は、スライダ３１の下部３１ｂ，３１ｂに設けた円形穴３１ｂ２，３１ｂ２内に下方から組み入れられている。そして、可動接点部材３４，３５は、前記下部３１ｂ，３１ｂに設けたスリット３１ｂ１，３１ｂ１に下方からそれぞれ押し込まれて、突起３４ｂ，３５ｂの下端が溝３１ｂ４，３１ｂ４の底面に係合している。この場合、コイルばね３２，３３は、可動接点部材３４，３５の前記水平部の上方に位置する。これにより、可動接点部材３４，３５は、突起３４ｂ，３５ｂの下端の溝３１ｂ４，３１ｂ４の底面への係合により下方への変位が規制され、かつスライダ３１の下部３１ｂ，３１ｂに設けたスリット３１ｂ１，３１ｂ１内における多少の上下動を許容された状態で、スライダ３１に組み付けられている。また、可動接点部材３４，３５は、コイルばね３２，３３の付勢力により下方に付勢されている。
【００２３】
そして、スライダ３１をターミナルベース２０の上面２０ｂに前後方向に移動可能に載置した状態では、前記コイルばね３２，３３の付勢力はスライダ３１を上方に変位させるように作用する。しかし、前述のように、ケース１０の前後壁及び左右壁の内側面には段差１０ｈが設けられ、下部３１ｂ，３１ｂの両外側面間の距離は、ケース１０の段差１０ｈよりも下方における左右壁の両内側面間の距離よりも僅かに小さく、ケース１０の段差１０ｈよりも上方における左右壁の両内側面間の距離よりも大きい。また、スライダ３１における下部３１ｂの上面と下面との間の距離は、ターミナルベース２０の上面から段差１０ｈまでの距離よりも僅かに小さい。したがって、スライダ３１は、下部３１ｂの上面における左右端部の段差１０ｈへの当接により上方への変位が規制された状態で、上下方向の若干の変位が許容され、かつコイルばね３２，３３により上下方向に付勢されて、下部３１ｂをターミナルベース２０の上面２０ｂと段差１０ｈの間に位置させている。そして、可動接点部材３４，３５の接点部３４ａ，３５ａをスライダ３１の下部３１ｂ，３１ｂの下面から下方に突出させて、接点部３４ａ，３５ａの下端面をターミナルベース２０の上面２０ｂに当接させている。
【００２４】
ケース１０の上端部には、ノブベース４１、ブーツ４２、ノブ４３及びロックノブ４４が組付けられている。ノブベース４１は、樹脂により一体成型されており、平面視で長方形に形成された平板状の上板部４１ａを有する。上板部４１ａの左右方向における外縁近傍位置の下面には、下方に突出した一対の係合部４１ｂ，４１ｂが設けられている。係合部４１ｂ，４１ｂは、前後方向に延設させた平板状に形成されており、下方に向かうに従って幅狭となる３角形状である。係合部４１ｂ，４１ｂの中央部分には、円形の貫通孔４１ｂ１，４１ｂ１が設けられている。貫通孔４１ｂ１，４１ｂ１の直径はケース１０の支持部１０ｅに設けたピン１０ｅ１，１０ｅ１の直径よりも僅かに大きく、ピン１０ｅ１，１０ｅ１を貫通孔４１ｂ１，４１ｂ１内に侵入させることにより、ノブベース４１はケース１０の支持部１０ｅに組み付けられるとともに回動可能に支持される。
【００２５】
上板部４１ａの前側の外縁近傍位置の下面には、下方に突出するとともに左右方向に延設された平板状かつ長方形状の係合部４１ｃが設けられている。係合部４１ｃは、ノブベース４１が図２の時計方向に回動した際に、その下端面をケース１０の係合部１０ｃの上端面に当接させて、ノブベース４１の前記回動を規制する。上板部４１ａの後側の外縁近傍位置の下面にも、下方に突出するとともに左右方向に延設された平板状かつ長方形状の係合部４１ｄが設けられている。上板部４１ａの係合部４１ｃ，４１ｄの各内側位置には、方形状の貫通孔４１ｅ，４１ｆがそれぞれ設けられている。
【００２６】
また、上板部４１ａの中央位置の下面には、下方に突出して円柱状に形成した円柱状部４１ｇも設けられている。円柱状部４１ｇには、下端面から上方に向かって切欠いたスリット４１ｇ１が設けられている。なお、円柱状部４１ｇの上端部分には、前後方向に延設された平板状かつ３角形状の突出部４１ｇ２，４１ｇ２も設けられている。この円柱状部４１ｇには、ノブベース４１の回動動作（シーソー動作）をスライダ３１に伝達するためのアクションガイド４５が組付けられている。アクションガイド４５は、樹脂により一体成型されて、下端に底面を有する円筒状の円筒部４５ａと、円筒部４５ａの下端から下方に延設されて内部に上下方向に長い方形状の空間を形成する方形部４５ｂとを有する。円筒部４５ａの内部には、対向する内周面に接続されて底面から中間位置まで延設された、ノブベース４１のスリット４１ｇ１の幅にほぼ等しい厚さの中板部４５ａ１を有する。方形部４５ｂの前後壁には、下端から中間位置まで延設されたスリット４５ｂ１が設けられている。そして、アクションガイド４５は、ノブベース４１の円柱状部４１ｇを円筒部４５ａに侵入させるとともに、中板部４５ａ１をスリット４１ｇ１内に侵入させて、円柱状部４１ｇに組み付けられている。
【００２７】
アクションガイド４５の方形部４５ｂは、スライダ３１の上部３１ａに設けた貫通孔３１ａ１を貫通して、スライダ３１の一対の下部３１ｂ，３１ｂ間に侵入している。アクションガイド４５の方形部４５ｂ内には、コイルばね４６及びボール４７が下方から組み込まれている。そして、方形部４５ｂのスリット４５ｂ１内に、アクションプレート２８の傾斜部２８ｂの上部を侵入させている。この状態では、コイルばね４６がボール４７を下方に付勢し、ボール４７はアクションプレート２８の傾斜部２８ｂの上面に当接して位置する。そして、ノブベース４１及びアクションガイド４５を回動させたときには、アクションガイド４５の方形部４５ｂがスライダ３１の上部３１ａの貫通孔３１ａ１の前側及び後側の内面の中央位置に当接して、スライダ３１が前後に移動する。このスライダ３１の移動時には、アクションガイド４５の方形部４５ｂのスリット４５ｂ１内へのアクションプレート２８の傾斜部２８ｂの侵入量が変化し、かつボール４７の方形部４５ｂ内への侵入位置が変化しながら、ボール４７は傾斜部２８ｂの上面上を転がりながら移動する。
【００２８】
ブーツ４２は、弾性変形する所定厚さのゴム材により、前後側壁及び左右側壁を連続させて平面視にて長方形状に形成されている。ブーツ４２は、前後側壁及び左右側壁に段差を有しており、内部の方形状の空間が下方に向かうに広くなっている。ブーツ４２の下端及び上端には、全周に渡って内側方向に平板状に延設させた係止部４２ａ，４２ｂがそれぞれ設けられている。係止部４２ａは、ケース１０の鍔部１０ａに外側から嵌め込まれて、上面を鍔部１０ａの下面に密着させて鍔部１０ａに固定されている。係止部４２ｂは、ノブベース４１の上板部４１ａに外側から嵌め込まれて、下面を上板部４１ａの周縁部の上面に密着させて上板部４１ａに固定されている。また、ブーツ４２の上面部４２ｃには、ノブベース４１の貫通孔４１ｅ，４１ｆに対向する位置に、方形状の貫通孔４２ｄ，４２ｅが設けられている。
【００２９】
ノブ４３は、樹脂により一体成型された操作部材であり、平板状の上板部４３ａと、上板部４３ａの周縁部から下方に延設されて内部に方形状の空間を形成する側壁部４３ｂとを有する。上板部４３ａには、前後に位置する２つの方形状の貫通孔４３ｃ，４３ｄが設けられている。貫通孔４３ｃの前側端部及び貫通孔４３ｄの後側端部には、上板部４３ａの下面から下方に延設されて下端部にて断面３角形状の係止爪を有する前後一対の係止片４３ｅ，４３ｆが設けられている。なお、係止片４３ｅの係止爪は前方側に張出し、係止片４３ｆの係止爪は後方側に張出している。そして、ブーツ４２の係止部４２ｂの上面上に上板部４３ａの下面を密着させ、かつ係止片４３ｅ，４３ｆをブーツ４２の貫通孔４２ｄ，４２ｅ及びノブベース４１の貫通孔４１ｅ，４１ｆ、を貫通させて、係止片４３ｅ，４３ｆの係止爪をノブベース４１の上板部４１ａの下面に係合させることにより、ノブ４３はノブベース４１及びブーツ４２上に組み付けられている。また、上板部４３ａの貫通孔４３ｄ側の端面部分には、前後方向に延設された左右一対の円柱状の穴４３ｇ，４３ｈが形成されている。ただし、穴４３ｇは、図示省略されている。
【００３０】
ロックノブ４４は、樹脂により一体成型されて、ノブ４３の上板部４３ａの上面上を前後方向に移動可能にノブ４３に組み付けられている。ロックノブ４４は、下方から見た図５の斜視図に示すように、方形状かつ平板状に形成された上板部４４ａと、上板部４４ａの後部分の下面から下方に延設された係合部４４ｂとを有する。係合部４４ｂは、上板部４４ａの下面から下方に延設させた後、後方に曲げて水平に延設させ、さらに下方に延設させた平板状の部分である。この係合部４４ｂは、スイッチ装置をロック状態に保つときに、その下端面をケース１０の係合部１０ｄの上端面に係合させるように機能する。また、係合部４４ｂの水平に延設された部分の上面は、ノブベース４１に設けた係合部４１ｄの下端面に移動可能に係合している。上板部４４ａには、後部分にて方形状の貫通孔４４ｃが設けられているとともに、前側部分に左右方向に配置された一対の円形の貫通孔４４ｄ，４４ｅが設けられている。また、上板部４４ａの前端上面には、ロックノブ４４を前方に引張り操作し易くするために、左右方向に延設されて上方に突出した凸部４４ｆが設けられている。
【００３１】
また、ロックノブ４４の上板部４４ａの下面における係合部４４ｂの前側位置には、下方を断面半円状に形成して、前後方向に延設された筒状部４４ｇ，４４ｈが設けられている。筒状部４４ｇ，４４ｈの外側上部には、外側に張り出して上面を平面に形成した断面３角形状の係合部４４ｉ，４４ｊが設けられている。この係合部４４ｉ，４４ｊは、筒状部４４ｇ，４４ｈをノブ４３の貫通孔４３ｄに貫通させた状態で、貫通孔４３ｄの左右両側の上板部４３ａの下面に前後方向に摺動可能に係合されている。これにより、ロックノブ４４は、ノブ４３の上板部４３ａの上面上を前後方向に移動可能（スライド可能）にノブ４３に組み付けられている。
【００３２】
ロックノブ４４の上板部４４ａの下面とノブ４３の上板部４３ａの上面との間には、平面視で正方形状のゴム製のパッキン５１が介装されている。パッキン５１は、ノブ４３の上板部４３ａにおける貫通孔４３ｄの周囲に形成した方形状の溝に埋め込まれて組み付けられている。また、前記ロックノブ４４の前後方向の移動範囲はノブ４３の貫通孔４３ｄの前後面によって規制され、ロックノブ４４が前後方向に移動しても、上板部４４ａの前端はパッキン５１の前辺よりも必ず前方に位置し、上板部４４ａの後端はパッキン５１の前辺よりも必ず後方に位置して、ロックノブ４４の上板部４４ａの下面は常にパッキン５１に当接している。なお、パッキン５１の左右辺も常に上板部４４ａの左右端よりも内側に位置する。
【００３３】
ロックノブ４４とノブ４３との間には、コイルばね５２，５３が組付けられている。コイルばね５２，５３は、それらの一端をロックノブ４４の筒状部４４ｇ，４４ｈに侵入させて支持させ、それらの他端をノブ４３に設けた円形の穴４３ｇ，４３ｈに侵入させて支持させている。これにより、ロックノブ４４は、コイルばね５２，５３により、ノブ４３に対して後方に付勢されている。
【００３４】
ロックノブ４４の上板部４４ａの上面には、貫通孔４４ｃ，４４ｄ，４４ｅを塞ぐための方形状の平板部材であるラベル５４が固着されている。また、ノブ４３の上板部４３ａの上面前部には、貫通孔４３ｃを塞ぐための方形状の平板部材であるラベル５５が固着されている。これらのラベル５４，５５は、樹脂材料に平板状に形成され、下面に両面接着テープを用いて、ロックノブ４４の上板部４４ａの上面及びノブ４３の上板部４３ａの上面に密着固定されている。なお、両面接着テープでなく、ラベル５４，５５とロックノブ４４の上板部４４ａ及びノブ４３の上板部４３ａとの間の気密性が保たれるならば、接着材を用いて固着してもよい。また、このラベル５４，５５は、ＬＥＤランプ２７，２６の光を透光させる透光部分５４ａ，５５ａを有する。
【００３５】
次に、上記のように構成したスイッチ装置の組み立てについて説明しておく。図６（Ａ）に示すように、まず、固定接点部材２１ａ〜２１ｆ、導線２４ａ，２４ｂ，２５ａ，２５ｂ及びアクションプレート２８をターミナルベース２０に圧入固定する。そして、図６（Ｂ）に示すように、電気回路基板２２，２３の下端に設けられて下方に突出した脚部２２ａ，２３ａをターミナルベース２０の上面に設けた溝に勘合させ、かつ導線２４ａ，２４ｂ，２５ａ，２５ｂと電気回路基板２２，２３上の端子とを半田付けして電気回路基板２２，２３をターミナルベース２０に固定する。この場合、ＬＥＤランプ２６，２７及びその他の回路部品の電気回路基板２２，２３への装着は事前になされている。
【００３６】
そして、ノブベース４１の係合部４１ｂ，４１ｂをケース１０の支持部１０ｅ，１０ｅの外側に上方から押し込んで、ピン１０ｅ１，１０ｅ１を貫通孔４１ｂ１，４１ｂ１に侵入させて勘合させ、ケース１０にノブベース４１を組付ける。次に、ブーツ４２の係止部４２ａをケース１０の鍔部１０ａに係合させるとともに、ブーツ４２の係止部４２ｂをノブベース４１の上板部４１ａに係合させて、ブーツ４２をケース１０及びノブベース４１に組付ける。
【００３７】
次に、アクションガイド４５を上下逆さにして、方形部４５ｂ内にコイルばね４６及びボール４７を侵入させておく。この場合、方形部４５ｂの下端部のボール４７の周囲に粘性あるグリスを注入して、コイルばね４６及びボール４７がアクションガイド４５から簡単には外れないようにする。そして、ケース１０を上下逆さにして、アクションガイド４５をノブベース４１側に移動して、ノブベース４１の円柱状部４１ｇを円筒部４５ａに侵入させるとともに、中板部４５ａ１をスリット４１ｇ１内に侵入させて、アクションガイド４５をノブベース４１に組付ける。この場合、円柱状部４１ｇと円筒部４５ａとの係合、及び中板部４５ａ１とスリット４１ｇ１との係合により、アクションガイド４５は、ノブベース４１から容易には外れずに、ノブベース４１に仮固定される。
【００３８】
次に、ノブ４３をブーツ４２の上面部４２ｃに向かって移動し、係止片４３ｅ，４３ｆをブーツ４２の貫通孔４２ｄ，４２ｅ及びノブベース４１の貫通孔４１ｅ，４１ｆに貫通させて、係止片４３ｅ，４３ｆの係止爪をノブベース４１の上板部４１ａの下面に係合させて、ノブ４３をノブベース４１及びブーツ４２上に組み付ける。この状態では、ノブ４３の上板部４３ａの下面がブーツ４２の係止部４２ｂの上面に密着して、上板部４３ａの下面と係止部４２ｂの上面との間の気密性が保たれている。
【００３９】
次に、コイルばね３２，３４及び可動接点部材３４，３５が組付けられたスライダ３１を、ケース１０内に下端側から侵入させて、スライダ３１の上部３１ａをアクションガイド４５の方形部４５ｂ内に侵入させて、スライダ３１をケース１０内に組込む。この場合、コイルばね３２，３４をスライダ３１に設けた円形穴３１ｂ２に下方から侵入させるとともに、可動接点部材３４，３５をスライダ３１に設けたスリット３１ｂ１に下方から侵入させて、コイルばね３２，３３及び可動接点部材３４，３５を組み付けたスライダ３１を事前に用意しておく（図４参照）。また、スライダ３１は、図２に示すようにケース１０内の後側に位置する。そして、固定接点部材２１ａ〜２１ｆ、導線２４ａ，２４ｂ，２５ａ，２５ｂ、アクションプレート２８及び電気回路基板２２，２３が組付けられたターミナルベース２０を、ケース１０内に下端側から侵入させて、アクションプレート２８の傾斜部２８ｂをアクションガイド４５の方形部４５ｂに設けたスリット４５ｂ１に侵入させる。そして、ターミナルベース２０をケース１０内に下方からさらに押し込んで、ターミナルベース２０に設けた突起２０ａをケース１０の貫通孔１０ｇに係合させることにより、ターミナルベース２０をケース１０に組付ける。なお、スライダ３１のケース１０内に組込み、及びターミナルベース２０のケース１０への組み込み時には、ケース１０は上下逆さにした状態にあり、スライダ３１及びターミナルベース２０は実際には下方に移動される。  
【００４０】
次に、ケース１０の上下逆さ状態をもとに戻して、パッキン５１をノブ４３の上板部４３ａの上面に設けた溝内に組み付ける。次に、ロックノブ４４をノブ４３に組み付ける。このロックノブ４４の組み付けについては、図７乃至図１１を用いて説明する。図７乃至図１１は、ロックノブ４４のノブ４３への組み付け工程を示す図であり、図７乃至図１１において、（Ａ）は斜視図であり、（Ｂ）はロックノブ４４の下方にて右側位置にあるコイルばね５３の軸線に沿って上下方向に切断したスイッチ装置の縦断面図である。
【００４１】
図７に示すように、ロックノブ４４のノブ４３への組み付けにおいては、治具６１が用いられる。治具６１は上下方向に長い方形状に形成されており、治具６１の下面には、ロックノブ４４の貫通孔４４ｄ，４４ｅの直径よりも僅かに直径が小さく、貫通孔４４ｄ，４４ｅの間隔に合わせた間隔で下方に突出した円柱状の突出部６１ａ，６１ｂが設けられている。この治具６１をロックノブ４４の上方に位置させ、筒状部４４ｇ，４４ｈ内へコイルばね５２，５３を侵入させて押し込む。次に、コイルばね５２，５３を筒状部４４ｇ，４４ｈ内へ押し込んだ状態で、図８に示すように、治具６１の突出部６１ａ，６１ｂをロックノブ４４の上板部４４ａに設けた貫通孔４４ｄ，４４ｅに押し込む。これにより、コイルばね５２，５３の付勢力により、ロックノブ４４は治具６１に装着される。
【００４２】
次に、図９に示すように、治具６１を下方に移動させて、治具６１に装着されたロックノブ４４の係合部４４ｂをノブ４３の上板部４３ａに設けた貫通孔４３ｄ内に侵入させる。そして、図１０に示すように、治具６１を図示時計方向に若干回転させながら、ロックノブ４４の上面前部をノブ４３内にさらに押し込んで、係合部４４ｂの下端面をケース１０の係合部１０ｄの上面に当接させるとともに、係合部４４ｂの後面をノブ４３の係止片４３ｆの前面に当接させ、かつロックノブ４４の係合部４４ｉ，４４ｊを貫通孔４３ｄの左右両側の上板部４３ａの下面に係合させる。これにより、ロックノブ４４はノブ４３に組み付けられる。また、係合部４４ｂの水平部分の上面は、ノブベース４１の係合部４１ｄの下端に当接する。
【００４３】
次に、図１１に示すように、治具６１を上方に移動させて、突出部６１ａ，６１ｂをロックノブ４４の上板部４４ａに設けた貫通孔４４ｄ，４４ｅから引き抜く。これにより、コイルばね５２，５３の前端は、前方に移動して、ノブ４３に設けた円形の穴４３ｇ、４３ｈ内に侵入し、ノブ４３の上板部４３ａに支持される。この状態では、係合部４４ｂの上部の後面はノブ４３の係止片４３ｆの前面に当接し、係合部４４ｂの下端面はケース１０の係合部１０ｄの上端面に当接し、かつ係合部４４ｂの水平部分の上面はノブベース４１の係合部４１ｄの下端面に当接した状態を維持する。なお、この状態がスイッチ装置のロック状態である。
【００４４】
その後、ラベル５４を、両面接着テープを用いて、ロックノブ４４の上板部４４ａの上面であって、貫通孔４４ｃの外周外側部分に接着する。また、ラベル５５を、両面接着テープを用いて、ノブ４３の上板部４３ａの上面であって、貫通孔４３ｃの外周外側部分に接着する。これにより、スイッチ装置が完成する。前述のように、スイッチ装置は、各種部品の係合により、接着剤などを用いることなく組み立てられるので、スイッチ装置の組み立てが簡単に行われる。
【００４５】
次に、上記のように構成したスイッチ装置の動作について説明する。図示しない機器に組付けたスイッチ装置の初期状態は、図１２（Ａ）に示すようなロック状態である。すなわち、ロックノブ４４は、コイルばね５２，５３により後方に付勢されて、係合部４４ｂの下端面をケース１０の係合部１０ｄの上面へ当接すなわち係合させている。また、このロック状態では、ノブベース４１の係合部４１ｃの下端面はケース１０の係合部１０ｃの上端面に当接して係合している。このロック状態では、ロックノブ４４を含むノブ４３の後部分を単に下方に押圧しても、係合部４４ｂの下端面のケース１０の係合部１０ｄとの係合により、ロック状態が解除されない。
【００４６】
また、このロック状態では、スライダ３１は、ターミナルベース２０上の後側端部すなわち電気回路基板２３の近傍に位置する。この場合、可動接点部材３４の一対の接点部３４ａは固定接点部材２１ｂ，２１ｃ上に位置し、可動接点部材３５の一対の接点部３５ａは固定接点部材２１ｅ，２１ｆ上に位置する。この状態は前述したようにロック状態であり、ケース１０外に設けた図示しない電気制御装置の電気制御により、導線２４ａ，２４ｂ及び電気回路基板２２を介してロック状態表示用のＬＥＤランプ２６が点灯する。このＬＥＤランプ２６の点灯は、ラベル５５に設けた透光部分５５ａを視認される。
【００４７】
このロック状態にあるスイッチ装置をオン状態に切換えるためには、図１２（Ｂ）に示すように、操作者はロックノブ４４の凸部４４ｆに指を掛けて、コイルばね５２，５３の付勢力に抗してロックノブ４４を手前側すなわち前方に引く。これにより、ロックノブ４４の係合部４４ｂの下端面と、ケース１０の係合部１０ｄとの係合が解除される。そして、この状態を維持したまま、ロックノブ４４（ノブ４３の上板部４３ａの後部）を下方に押し込む。これにより、図１２（Ｃ）に示すように、ロックノブ４４の係合部４４ｂは、ケース１０の係合部１０ｄの内側面に沿って下方に移動する。このとき、ノブベース４１は、図示反時計方向に回転し、このノブベース４１の回転により、アクションガイド４５も図示反時計方向に回動し、アクションガイド４５の下端は前方（図示右方向）へ移動する。なお、このノブベース４１の回動時及び後述するノブベース４１の回動時には、ブーツ４２は弾性変形する。これにより、ボール４７は、アクションプレート２８の傾斜部２８ｂの上面を上方に転がりながら、図示右方向へ移動する。このとき、ボール４７は、コイルばね４６の付勢力に抗してアクションガイド４５の方形部４５ｂ内を上方に移動する。また、アクションプレート２８の傾斜部２８ｂの上部の、アクションガイド４５の方形部４５ｂのスリット４５ｂ１内への侵入量も多くなる。
【００４８】
また、これと同時に、スライダ３１の上部３１ａの貫通孔３１ａ１内に侵入しているアクションガイド４５の方形部は、前記アクションガイド４５の図示反時計方向の回動により、スライダ３１を前方へ押す。一方、スライダ３１は、ターミナルベース２０の上面２０ｂとケース１０の段差１０ｈとにより、上下方向の変位が規制されている。したがって、アクションガイド４５の方形部４５ｂは、その前後壁外面をスライダ３１の上部３１ａの貫通孔３１ａ１の上下中央位置（頂点位置）を摺動させるとともに、スライダ３１の上部３１ａの貫通孔３１ａ１への侵入量を増加させながら、スライダ３１を前方へ移動させる。
【００４９】
そして、ロックノブ４４（ノブ４３の上板部４３ａの後部）を下方に押し込み続けると、ボール４７はアクションプレート２８の傾斜部２８ｂの上面の中央位置（頂点位置）に達する。その後、ボール４７はアクションプレート２８の傾斜部２８ｂの上面を下方に転がりながら、図示右方向へ移動する。そして、ロックノブ４４の係合部４４ｂの下面がケース１０の係合部１０ｄの下端すなわちケース１０の水平部１０ｂに達すると、ロックノブ４４の回動は停止する。そして、この状態が図１２（Ｄ）に示すスイッチ装置のオン状態である。その後、操作者がロックノブ４４の上板部４４ａの押圧を解除する。この状態では、ノブ４３の上板部４３ａの上面前部を下方に押さない限り、コイルばね４６の付勢力によるアクションプレート２８の傾斜部２８ｂの上面とボール４７との係合により、ノブベース４１、ロックノブ４４、アクションガイド４５及びボール４７は、図１２（Ｄ）のスイッチ装置のオン状態に維持される。
【００５０】
また、このオン状態では、スライダ３１は、ターミナルベース２０上の前側端部すなわち電気回路基板２２の近傍に位置する。この場合、可動接点部材３４の一対の接点部３４ａは固定接点部材２１ａ，２１ｂ上に位置し、可動接点部材３５の一対の接点部３５ａは固定接点部材２１ｄ，２１ｅ上に位置する。この状態は前述したオン状態であり、ケース１０外に設けた図示しない電気制御装置の電気制御により、導線２５ａ，２５ｂ及び電気回路基板２３を介してオン状態表示用のＬＥＤランプ２７が点灯する。このＬＥＤランプ２７の点灯は、ラベル５４に設けた透光部分５４ａを視認される。
【００５１】
一方、このオン状態を解除してスイッチ装置をオフ状態にするためには、操作者はノブ４３の上板部４３ａの上面における前側部分を押圧する。これにより、ノブベース４１は、図示時計方向に回転し、このノブベース４１の回転により、アクションガイド４５も図示時計方向に回動し、アクションガイド４５の下端は前記場合とは逆方向（図示左方向）へ移動する。この場合、ボール４７は、アクションプレート２８の傾斜部２８ｂの上面を上方に転がりながら後方へ移動し、傾斜部２８ｂの頂点を超えた後、傾斜部２８ｂの上面を下方に転がりながら後方へ移動する。そして、スライダ３１も、前記場合とは逆に、ターミナルベース２０の上面２０ａを後方へ移動する。ボール４７がコイルばね４６の付勢力に抗してアクションガイド４５の方形部４５ｂ内を移動する点も、アクションプレート２８の上部がアクションガイド４５の方形部４５ｂのスリット４５ｂ１内への侵入量を変化させる点も、アクションガイド４５の方形部４５ｂがスライダ３１の上部３１ａの貫通孔３１ａ１内を移動する点も、前述した場合と同じである。また、このとき、ロックノブ４４の係合部４４ｂは、ケース１０の係合部１０ｄの内側面に沿って上方に移動する。すなわち、スイッチ装置は、図１２（Ｄ）の状態から図１２（Ｃ）の状態を経て図１２（Ｂ）の状態になる。
【００５２】
さらに、操作者はノブ４３の上板部４３ａの上面における前側部分を押圧すれば、ノブベース４１の係合部４１ｃの下端面がケース１０の係合部１０ｃの上端面に当接して、ノブベース４１の図示時計方向の回動は停止する。また、この状態では、ロックノブ４４の係合部４４ｂの下端面がケース１０の係合部１０ｄの上端面位置に来ている。そして、コイルばね５２，５３の付勢力により、ロックノブ４４は後方側（図示左側）に移動して、ロックノブ４４の係合部４４ｂの下端面がケース１０の係合部１０ｄの上端面に当接して係合する。この状態で、操作者はノブ４３の上板部４３ａの上面における前記前側部分の押圧を解除する。この状態が、前述した図１２（Ａ）のスイッチ装置のロック状態である。
【００５３】
このように構成されるとともに動作する上記実施形態においては、ノブ４３の上板部４３ａの上面前側部分及びロックノブ４４の上板部４４ａの上面の押圧及び押圧解除により、スイッチ装置はオン状態及びオフ状態（ロック状態）に切り換えられる。そして、このロック状態では、ロックノブ４４の係合部４４ｂとケース１０の係合部１０ｄとの係合により、ロックノブ４４を前方へ移動させない限り、スイッチ装置のロック状態は解除されない。したがって、操作者の誤操作、意図しない外力などにより、スイッチ装置のオン状態への切り換えが回避され、スイッチ装置を組付けた機器の運転の安全性が確保される。
【００５４】
また、上記実施形態においては、ノブ４３がノブベース４１の上面を覆い、かつブーツ４２がケース１０の上面よりも上方に位置するノブベース４１の外側面を覆っている。これにより、スイッチ装置を、ごみ、ほこり、植物の種などの微粒子が多かったり、水滴、水分などの多かったりする厳しい環境下で利用される機器に用いた場合でも、防塵及び防水機能が充分に発揮され、ケース１０内に微粒子、水滴、水分などが侵入することがなくなり、スイッチ装置の不具合の発生が防止される。
【００５５】
また、上記実施形態においては、ノブ４３の上板部４３ａの上面と、ロックノブ４４の上板部４４ａの下面との間には、パッキン５１が設けられている。これにより、パッキン５１が、ロックノブ４４とノブ４３との間からケース１０内への微粒子、水滴、水分などの侵入も防ぐ。その結果、防塵及び防水機能がより充実し、スイッチ装置における不具合の発生がより確実に防止される。
【００５６】
また、上記実施形態においては、ロックノブ４４は、ロックノブ４４とノブ４３との間に介装したコイルばね５２，５３により、ノブ４３の後端側に付勢されるようにした。これにより、ノブ４３の前端側を押圧操作すれば、ロックノブ４４はノブ４３の後端側に自動的にスライドして、ロックノブ４４の係合部４４ｂがケース１０の係合部１０ｄの上端部に係合する。その結果、ノブベース４１の回動動作（シーソー動作）のロックが、ノブ４３の前端側を押圧操作するだけである簡単な操作により実現される。
【００５７】
また、上記実施形態においては、アクションプレート２８の上部に中間位置から両側に向かってそれぞれ下方に傾斜した傾斜部２８ｂを設け、ノブベース４１に組付けたアクションガイド４５の方形部４５ｂ内にコイルばね４６を介してボール４７を組み付けるようにした。そして、ノブ４３及びロックノブ４４の押圧操作によりノブベース４１が回動動作（回動動作）するとき、ボール４７が回転しながら傾斜部２８ｂ上を中間位置の両側にそれぞれ移動する。また、アクションガイド４５に係合して、ノブベース４１の回動動作により、ターミナルベース２０の上面２０ｂ上を前後に移動するスライダ３１には、コイルばね３２，３３及び可動接点部材３４，３５が組付けられている。この可動接点部材３４，３５はコイルばね３２，３３により下方に付勢されて、接点部３４ａ，３５ａはターミナルベース２０の上面２０ｂ上に押し付けられている。また、スライダ３１は、ケース１０の左右側壁の内面に水平に設けた段差１０ｈにより上方への変位が規制されている。したがって、ターミナルベース２０の上面２０ｂ上の前端部及び後端部のスライダ３１の移動時には、ノブ４３及びロックノブ４４の押圧を解除しても、アクションガイド４５及びスライダ３１の位置は維持される。その結果、操作者がノブ４３及びロックノブ４４の押圧を解除しても、可動接点部材３４，３５の接点部３４ａ，３５ａの固定接点部材２１ａ〜２１ｆに対するオン・オフ状態が維持されて、スイッチ装置の操作性が良好となる。
【００５８】
また、上記実施形態においては、ロックノブ４４は、上板部４４ａを貫通する貫通孔４４ｄ，４４ｅを有し、先端部にコイルばね５２，５３の一端に係合する突出部６１ａ，６１ｂを備えた治具６１を用いて、コイルばね５２，５３を圧縮した状態でロックノブ４４に組み付け、その後、治具６１の突出部を貫通孔４４ｄ，４４ｅに貫通させて、コイルばね５２，５３を組み付けたロックノブ４４を治具６１に仮固定するようにした。そして、ロックノブ４４を治具６１に仮固定した状態で、ロックノブ４４の係合部４４ｂをノブ４３に設けた貫通孔４３ｄに貫通させるとともに、ロックノブ４４をノブ４３に移動可能に係合させて組み付け、その後、治具６１の突出部６１ａ，６１ｂをロックノブ４４の貫通孔４４ｄ，４４ｅから引き抜いて、ロックノブ４４がコイルばね５２，５３によりノブ４３の後方側に付勢された状態で、ロックノブ４４をノブベース４１及びノブ４３に組み付けるようにした。これにより、ロックノブ４４をノブベース４１及びノブ４３に簡単に組み付けることができるとともに、コイルばね５２，５３をロックノブ４４とノブ４３との間に簡単に組み付けることができる。
【００５９】
さらに、上記実施形態においては、ロックノブ４４の上板部４４ａの上面にシール用のラベル５４を固着するようにした。これにより、ロックノブ４４のノブベース４１及びノブ４３への組み付けに利用するための貫通孔４４ｃ，４４ｄ，４４ｅをロックノブ４４の上板部４４ａに設けても、ラベル５４により貫通孔４４ｃ，４４ｄ，４４ｅは塞がれる。その結果、ロックノブ４４の上板部４４ａに設けた貫通孔４４ｃ，４４ｄ，４４ｅを介したケース１０内への微粒子、水滴、水分などの侵入が防がれ、ケース１０内への微粒子、水滴、水分などの侵入によるスイッチ装置における不具合の発生が防止される。
【００６０】
なお、本発明に係るスイッチ装置は、上記実施形態に限定されるものではなく、適宜変更して実施することが可能である。
【００６１】
上記実施形態においては、アクションガイド４５の方形部４５ｂの下端部内に移動体であるボール４７を組み付けて、ボール４７が、コイルばね４６により下方に付勢された状態で、アクションプレート２８の傾斜部２８ｂ上を回転しながら移動するようにした。しかし、コイルばね４６により下方に付勢された状態で方形部４５ｂの下端部内に組み付けられ、かつ傾斜部２８ｂ上を移動可能（例えば、摺動可能）な部材であれば、ボール４７に代えて、例えば、方形状の移動体を用いるようにしてもよい。
【００６２】
また、上記実施形態においては、ロックノブ４４の係合部４４ｉ，４４ｊを、ノブ４３の貫通孔４３ｄの左右両側の上板部４３ａの下面に前後方向に摺動可能に係合させて、ロックノブ４４を上板部４３の上面上を前後に移動できるようにした。しかし、これに代えて、ロックノブ４４をノブべース４１に前後方向に摺動可能に係合させて、ロックノブ４４を上板部４３の上面上を前後に移動できるようにしてもよい。この場合、例えば、ロックノブ４４の上板部４４ａに、その下面から下方に延設されて下端にて左右方向に突出した係合部を有する一対の係合片を設ける。また、ノブべース４１の上板部４１ａに、前後方向に延設されて、前記係合片と係合するとともに前記係合片の前後方向の移動を許容する係合部を設ける。そして、ロックノブ４４の一対の係合片をノブ４３の貫通孔４３ｄを貫通させて、係合片の係合部をノブべース４１の係合部に係合させて、ロックノブ４４が上板部４３の上面上を前後に移動できるようにすればよい。
【００６３】
また、上記実施形態においては、ターミナルべース２０に固定接点部材２１ａ〜２１ｆを組み付け固定し、ノブべース４１及びアクションガイド４６の回動動作（シーソー動作）によりターミナルべース２０の上面２０ｂ上を前後に移動するスライダ３１に可動接点部材３４，３５を組み付け、スライダ３１の前後移動により、固定接点部材２１ａ〜２１ｆと可動接点部材３４，３５との接触及び非接触により、スイッチのオン・オフ状態が切り換えられるようにした。しかし、これに代えて、スライダ３１を用いることなく、ノブベース４１側に可動接点部材を単に設けるとともに、ケース１０側に固定接点部材を単に設けたおき、ノブベース４１の可動動作（シーソー動作）により、可動接点部材と固定接点部材とがオン・オフされるようにしてもよい。また、可動接点部材と固定接点部材を組み込んだスイッチをターミナルべース２０に固定しておき、ノブべース４１の回動により、可動接点部材が駆動されて、可動接点部材と固定接点部材とがオン・オフされるようにしてもよい。
【００６４】
さらに、上記実施形態においては、スイッチ装置のオフ状態でロック状態になるようにした。しかし、これに代えて、スイッチ装置のオン状態でロック状態になるようにしてもよい。すなわち、スイッチ装置のオン・オフ状態を逆にするようにしてもよい。例えば、スイッチ装置を機器における非常停止用のスイッチ装置として用いる場合には、オン状態でロックされて、機器の停止状態が容易に作動状態に切り換えられないようにするとよい。
【符号の説明】
【００６５】
１０…ケース、１０ａ…鍔部、１０ｃ，１０ｄ…係合部、２０…ターミナルベース、２０ｂ…上面、２１ａ〜２１ｆ…固定接点部材、２８…アクションプレート、２８ｂ…傾斜部、３１…スライダ、３４，３５…可動接点部材、４１…ノブベース、４２…ブーツ、４３…ノブ、４３ｃ，４３ｄ…貫通孔、４４…ロックノブ、４４ａ…上板部、４４ｂ…係合部、４４ｃ，４４ｄ，４４ｅ…貫通孔、４５…アクションガイド、４５ａ…円筒部、４５ｂ…方形部、４６…コイルばね、４７…ボール、５１…パッキン、５２，５３…コイルばね、５４，５５…ラベル（平板部材）、６１…治具、６１ａ，６１ｂ…突出部
【図１】
2016149280.tif 000003
【図２】
2016149280.tif 000004
【図３】
2016149280.tif 000005
【図４】
2016149280.tif 000006
【図５】
2016149280.tif 000007
【図６】
2016149280.tif 000008
【図７】
2016149280.tif 000009
【図８】
2016149280.tif 000010
【図９】
2016149280.tif 000011
【図１０】
2016149280.tif 000012
【図１１】
2016149280.tif 000013
【図１２】
2016149280.tif 000014